(57)【要約】【課題】複合機の構成において、構成の複雑化を防止するため、スキャン動作とファクシミリ通信とが択一的に可能な構成とする場合に、スキャン動作とファクシミリ通信との間で競合が発生する。【解決手段】ＲＧＢの各色を個別に読取る面順次方式のカラースキャナ２０３と、外部回線へのＮＣＵ１８と、を備える複合機２００に、優先制御プログラム２０１に基づいて、各色のカラースキャン中はＮＣＵ１８を、仮想の通信端末装置との回線接続状態にすると共に、各色の非スキャン時はＮＣＵ１８を回線未接続状態にする、ＣＰＵ１０を備える。【選択図】図５
2005123886.tif 000002
【特許請求の範囲】
【請求項１】
カラースキャナと、外部回線への回線接続制御部と、を備える通信端末装置であって、
カラースキャンに関わる一連の動作実行中は、回線接続制御部を、仮想の通信端末装置との回線接続状態にする制御手段を備える、
ことを特徴とする通信端末装置。
【請求項２】
ＲＧＢの各色を個別に読取る面順次方式のカラースキャナと、外部回線への回線接続制御部と、を備える通信端末装置であって、
各色のカラースキャン中は回線接続制御部を、仮想の通信端末装置との回線接続状態にすると共に、各色の非スキャン時は回線接続制御部を回線未接続状態にする、制御手段を備える、
ことを特徴とする通信端末装置。
【請求項３】
外部回線を介してデータを送受信する送受信手段を備え、
前記制御手段は、
前記カラースキャンの途中時点で、回線接続制御部を前記回線未接続状態に移行させると共に、送受信手段を休止状態に移行させ、カラースキャンの終了時点で、送受信手段を送受信の待機状態に移行させる、
ことを特徴とする請求項２に記載の通信端末装置。
【請求項４】
スイッチバックを伴う両面読取手段と、外部回線への回線接続制御部と、を備える通信端末装置であって、
両面読取りに関わる一連の動作実行中は、回線接続制御部を、仮想の通信端末装置との回線接続状態にする制御手段を備える、
ことを特徴とする通信端末装置。
【請求項５】
スイッチバックを伴う両面読取手段と、外部回線への回線接続制御部と、を備える通信端末装置であって、
各面の読取り中は、回線接続制御部を、仮想の通信端末装置との回線接続状態にすると共に、各面の非読取り時は回線接続制御部を回線未接続状態にする、制御手段を備える、
ことを特徴とする通信端末装置。
【請求項６】
外部回線を介してデータを送受信する送受信手段を備え、
前記制御手段は、
前記各面の読取りの途中時点で、回線接続制御部を前記回線未接続状態に移行させると共に、送受信手段を休止状態に移行させ、各面の読取りの終了時点で、送受信手段を送受信の待機状態に移行させる、
ことを特徴とする請求項５に記載の通信端末装置。
【発明の詳細な説明】
【技術分野】
【０００１】
本発明は、スキャナと、外部回線との通信機能と、を有する通信端末装置に関する。
【背景技術】
【０００２】
従来より、スキャナ機能、プリンタ機能、ファクシミリ通信機能、を備えるコピー・ファクシミリ複合機が存在する。
このような複合機においては、コピー中でも画データを受信することが出来るように構成されている。具体的には、コピー機能動作中に、相手機からファクシミリ受信があった場合、ＣＰＵから、通信用のハードコーデックに制御指令が出力され、該通信用ハードコーデックにより、必要に応じて符号変換処理が行われて、スキャナ処理やコピー処理とファクシミリ受信に係る通信処理とを平行して行えるようにしている。
【０００３】
ここで、このような複合機には、画像の取り込み手段が二つ（スキャナおよびファクシミリ装置）あるのに対して、プリンタが一つしかないものとなっている。
このため、スキャナで読み込んだ画データのプリントと、ファクシミリ受信で得られた画データのプリントとが競合する場合がある。
特許文献１には、このように異なる画データの取り込みがあった場合に、そのプリントにおける競合を防止すべく、コピー部数に応じて優先するプリントを切換える制御を行う技術が開示されている。つまり、コピー枚数が多くて、時間を要する場合は、受信画データのプリントが優先されるものである。
【０００４】
【特許文献１】特開２０００−１３４３８９号公報
【発明の開示】
【発明が解決しようとする課題】
【０００５】
一般に、カラースキャン動作は、時間を要するものである。特に、面順次方式のカラースキャナでは、ＲＧＢ各色について個別に走査して３回キャリッジを往復動させることになるので、より一層時間を要することとなる。
また、スイッチバック方式の両面スキャナにおけるスキャン動作も、時間を要するものである。これは、スイッチバック方式の両面読み取りの場合は、一方の面の読み取りが終わった後、排紙トレイ側に一旦原稿が搬送された後、スイッチバックして、他方の面の読み取りが行われるためである。
【０００６】
また、カラースキャンやスイッチバック方式での両面スキャンと、ファクシミリ通信とを、平行して行うことを可能（マルチ動作可能）にすると、複合機の構成が複雑となる。これは、スキャナで取り込まれた画データの符号化処理と、ファクシミリ受信した画データの符号化処理とを、同時並行可能とするため、それぞれハードコーデックが備えられるか、あるいは一つのコーデックでソフト的に二つの符号化処理を同時に進行させるか、する必要があるためである。
そして、複合機の構成の複雑化を防止すべく、スキャナ動作と、ファクシミリ通信とが、択一的にのみ行われる構成とする場合は、スキャナ動作とファクシミリ通信との間で、競合が発生する。この競合を防止すべく、どちらかを優先させる必要がある。
【０００７】
つまり、解決しようとする課題は、複合機の構成において、構成の複雑化を防止するため、スキャン動作とファクシミリ通信とが択一的に可能な構成とする場合に、スキャン動作とファクシミリ通信との間で競合が発生する点である。
【課題を解決するための手段】
【０００８】
本発明の解決しようとする課題は以上の如くであり、次にこの課題を解決するための手段を説明する。
【０００９】
即ち、請求項１においては、
カラースキャナと、外部回線への回線接続制御部と、を備える通信端末装置であって、
カラースキャンに関わる一連の動作実行中は、回線接続制御部を、仮想の通信端末装置との回線接続状態にする制御手段を備えるものである。
【００１０】
請求項２においては、
ＲＧＢの各色を個別に読取る面順次方式のカラースキャナと、外部回線への回線接続制御部と、を備える通信端末装置であって、
各色のカラースキャン中は回線接続制御部を、仮想の通信端末装置との回線接続状態にすると共に、各色の非スキャン時は回線接続制御部を回線未接続状態にする、制御手段を備えるものである。
【００１１】
請求項３においては、
外部回線を介してデータを送受信する送受信手段を備え、
前記制御手段は、
前記カラースキャンの途中時点で、回線接続制御部を前記回線未接続状態に移行させると共に、送受信手段を休止状態に移行させ、カラースキャンの終了時点で、送受信手段を送受信の待機状態に移行させるものである。
【００１２】
請求項４においては、
スイッチバックを伴う両面読取手段と、外部回線への回線接続制御部と、を備える通信端末装置であって、
両面読取りに関わる一連の動作実行中は、回線接続制御部を、仮想の通信端末装置との回線接続状態にする制御手段を備えるものである。
【００１３】
請求項５においては、
スイッチバックを伴う両面読取手段と、外部回線への回線接続制御部と、を備える通信端末装置であって、
各面の読取り中は、回線接続制御部を、仮想の通信端末装置との回線接続状態にすると共に、各面の非読取り時は回線接続制御部を回線未接続状態にする、制御手段を備えるものである。
【００１４】
請求項６においては、
外部回線を介してデータを送受信する送受信手段を備え、
前記制御手段は、
前記各面の読取りの途中時点で、回線接続制御部を前記回線未接続状態に移行させると共に、送受信手段を休止状態に移行させ、各面の読取りの終了時点で、送受信手段を送受信の待機状態に移行させるものである。
【発明の効果】
【００１５】
本発明の効果として、以下に示すような効果を奏する。
【００１６】
請求項１においては、カラースキャナ動作と、ファクシミリ受信とが競合することがない。しかも、カラースキャナ動作とファクシミリ受信とが択一的に選択されて、通信端末装置で処理が実行されるため、通信端末装置の構成が複雑化されることもない。
【００１７】
請求項２においては、ファクシミリ受信の待ち時間を少なくしつつ、カラースキャン処理を効率よく行うことが可能となる。
【００１８】
請求項３においては、ファクシミリ受信の待ち時間を少なくしつつ、カラースキャン処理を効率よく行うことが可能となる。
【００１９】
請求項４においては、両面スキャン動作と、ファクシミリ受信とが競合することがない。しかも、両面スキャン動作とファクシミリ受信とが択一的に選択されて、通信端末装置で処理が実行されるため、通信端末装置の構成が複雑化されることもない。
【００２０】
請求項５においては、ファクシミリ受信の待ち時間を少なくしつつ、両面スキャン処理を効率よく行うことが可能となる。
【００２１】
請求項６においては、ファクシミリ受信の待ち時間を少なくしつつ、両面スキャン処理を効率よく行うことが可能となる。
【発明を実施するための最良の形態】
【００２２】
これより、本発明の通信端末装置の三つの実施の形態について説明する。
これらの三つの実施の形態は、いずれもコピー・ファクシミリ機能を有する複合機としている。また、これらの複合機には、スキャン動作とファクシミリ受信とが競合する場合に、処理の優先順位を設定するプログラム（優先制御プログラム）の一又は複数が備えられている。
【００２３】
第一の実施の形態である複合機１００は、線順次方式のカラースキャナ１０３を備え、優先制御プログラム１０１が複合機１００のＲＯＭ内に記憶されている。そして、複合機１００のＣＰＵと、優先制御プログラム１０１とで、本発明に関わる制御手段が構成されている。
第二の実施の形態である複合機２００は、面順次方式のカラースキャナ２０３を備え、優先制御プログラム２０１・３０１・４０１が複合機１００のＲＯＭ内に記憶されている。そして、複合機２００のＣＰＵと、優先制御プログラム２０１・３０１・４０１のいずれか一つとで、本発明に関わる制御手段が構成されている。
第三の実施の形態である複合機３００は、スイッチバック方式の両面モノクロスキャナ３０３を備え、優先制御プログラム５０１・６０１・７０１・８０１が複合機１００のＲＯＭ内に記憶されている。そして、複合機３００のＣＰＵと、優先制御プログラム５０１・６０１・７０１・８０１のいずれか一つとで、本発明に関わる制御手段が構成されている。
【００２４】
図１を用いて、第一の実施の形態である複合機１００について説明する。
複合機１００には、ＣＰＵ１０、ＲＯＭ１２、ＲＡＭ１３、画像メモリ（ＤＲＡＭ）１４、線順次方式のカラースキャナ１０３、画像記録部４、操作部２、表示部２０、コーデック１５、モデム１７、ＮＣＵ（回線接続制御部）１８、が備えられ、これらの各装置がバス１１を介して、通信可能に接続されている。
【００２５】
ＲＯＭ１２には、複合機１００を制御する制御プログラム等が記憶されている。これらの制御プログラムには、本発明に関わる優先制御プログラム１０１も、含まれている。
ＲＡＭ１３には、複合機１００の制御状態等の各種情報が一時的に記憶される。
ＣＰＵ１０は、操作部２への入力操作、及びＲＯＭ１２に書き込まれている制御プログラム等に従って、ＲＡＭ１３を作業領域として、複合機１００の全体制御を実行する。
【００２６】
カラースキャナ１０３は、詳しくは後述するが、写真、文書、図面等の原稿をＲＧＢの三色で光学的に走査（スキャン）して、その反射光や透過光の強度を計り、これをＡ／Ｄ（アナログ―デジタル）変換して、イメージデータである画情報を出力する。
【００２７】
画像記録部４は、電子写真方式のプリンタで構成され、カラースキャナ１０３で読取られた画情報や、モデム１７を介して受信した画情報を、記録紙上に記録（印刷）する。画像メモリ１４は、カラースキャナ１０３で読み取った画情報をメモリ送信するために一時的に蓄積したり、受信した画情報を画像記録部４により記録するまで一時的に蓄積したりする。この画像メモリ１４には一定のフォーマット（例えば、ＭＭＲ方式）で画情報が蓄積されている。
【００２８】
操作部２には、複合機１００を操作するための入力手段として、スタートキー２１や、使用パターン選択キー２３等の各種操作キーが設けられている。表示部２０は、ＬＣＤ（液晶ディスプレイ）で構成されており、操作部２上に配置されて、複合機１００の動作状態等の各種情報を表示する。
【００２９】
画像メモリ１４は、受信画情報やカラースキャナ１０３で読み取られ、コーデック１５でＭＨ、ＭＲ、或いはＭＭＲ方式等で圧縮符号化された画情報を一時的に記憶する。コーデック１５は、カラースキャナ１０３にて読み取られた画情報を送信のためにＭＨ、ＭＲ、或いは、ＭＭＲ方式等により符号化（エンコード）する。また、コーデック１５は、受信画情報を復号（デコード）する。
【００３０】
モデム１７は、外部回線である電話回線９を介して、データの送受信を行う送受信手段である。特に、モデム１７はＦＡＸ通信用の送受信手段であり、ＩＴＵ（国際電気通信連合）勧告に従ったファクシミリ伝送制御手順に基づいて、送信データの変調及び受信データの復調を行う。
【００３１】
ＮＣＵ１８は、外部回線である電話回線９への回線接続制御部であり、同じ電話回線９に接続されている他の複数の通信端末装置のうち、択一的に選択された一つの通信端末装置と、複合機１００との間で、回線を接続可能である。
ＮＣＵ１８には、他の一つの通信端末装置との間に回線が接続された状態（回線接続状態）と、他のどの通信端末装置との間にも回線が接続されてない状態（回線未接続状態）と、の二つの状態が存在する。この回線未接続状態においては、ＮＣＵ１８は、他の通信端末装置との回線接続の待機状態にある。
【００３２】
ＮＣＵ１８を介する回線接続は、次のようにして行われる。
まず、電話回線９に接続される他の通信端末装置より、複合機１００の呼出信号が発信される。この呼出信号の発信を、以下では、「発呼」と称する。
前記呼出信号は、電話回線９を介してＮＣＵ１８に到達する。そして、ＮＣＵ１８において、この呼出信号を受信した状態を、以下では、「着呼」と称する。
ここで、ＮＣＵ１８には、相手先の電話番号（ファックス番号含む）に対応したダイヤル信号の着信、すなわち「着呼」、を検出する機能が備えられている。ＮＣＵ１８は、「着呼」に応じて、モデム１７と発呼元の通信端末装置（のモデム）との回線を接続し、発呼元の通信端末装置からのデータをモデム１７が受信する。以下では、「着信」とは、モデム１７においてデータの受信が行われた状態のことを指すものとし、ＮＣＵ１８で呼出信号受信した状態を意味する「着呼」と、区別する。
【００３３】
また、前述した「着呼」に応じた回線接続は、ＮＣＵ１８が回線未接続状態にある場合にのみ、行われるものである。
一方、ＮＣＵ１８が、他の通信端末装置との回線接続状態にある場合は、別の通信端末装置より「発呼」があっても、ＮＣＵ１８においてその呼出信号は検出されず、つまり「着呼」が検出されず、先の回線接続が維持される。このとき、後の発呼元の通信端末装置では、複合機１００のＮＣＵ１８が「ビジー状態」（回線接続状態）にあることが、検出される。
【００３４】
次に、図２を用いて、複合機１００における外部回線からの画像受信時の動作について、説明する。
以下では、ファクシミリを一例として外部回線からの画像受信処理を説明するものとする。なお、この動作は、ＲＯＭ１２に記憶されたプログラムに基づき、ＣＰＵ１０の制御により実行されるものである。
【００３５】
図２に示されるファクシミリ受信処理フローにおいては、まず、ＮＣＵ１８が「着呼」を検出したか否かの判定が行われる（ステップＳ１０９）。
ステップＳ１０９でＮＣＵ１８が「着呼」を検出すると、受信側への処理に繋がるステップＳ１１０に処理が移行する。ＮＣＵ１８が「着呼」を検出可能なのは、複合機１００と他の通信端末装置とで回線未接続状態にある場合である。
一方、ステップＳ１０９でＮＣＵ１８が「着呼」を検出しない場合は、一旦このフローが終了し、再びステップＳ１０９での判定が行われることになる。ここで、ＮＣＵ１８が「着呼」を検出しない場合は、他の通信端末装置から複合機１００への発呼がない場合と、複合機１００がいずれかの通信端末装置との間で回線が接続されており、その時点で回線接続状態にある場合と、がある。
【００３６】
ステップＳ１１０では、モデム１７が待機状態にあるか、それとも休止状態にあるかの判定が行われる。
モデム１７が待機状態にある場合は、受信側への処理に繋がるステップＳ１１１に処理が移行する。
また、モデム１７が休止状態にある場合は、一旦このフローが終了し、再びステップＳ１０９での判定が行われることになる。
【００３７】
ステップＳ１１１に進むと、ＣＰＵ１０は、ＲＯＭ１２に記憶されたプログラムに基づき、ファクシミリ伝送制御手順を開始する。
【００３８】
ステップＳ１１２においては、送信側から送信されてくる画情報がモデム１７で受信され、その受信画情報がコーデック１５でＭＭＲ符号方式等に従って符号化されて、画像メモリ１４に一旦記憶される。
【００３９】
ステップＳ１１３においては、画情報がすべて受信されて、ファクシミリ伝送制御手順が終了したか否かが判断される。具体的には、ファクシミリ伝送制御手順において、送信側から送信されてくるＤＣＮ信号がＮＣＵ１８によって検出されることに基づいて、ファクシミリ伝送制御手順が終了したか否かが判断される。ファクシミリ伝送制御手順が終了した場合は、ステップＳ１１４に移行して、表示部２０に対して画情報を受信した旨の信号が送出される。一方、ファクシミリ伝送制御手順が終了していない場合は、ステップＳ１１２に戻って、画情報が受信されるのである。
【００４０】
次に、複合機１００において、カラースキャナ３でのスキャンと、ファクシミリ受信との競合を防止するための制御について説明する。
この制御は、ＲＯＭ１２に記憶されている優先制御プログラム１０１に基づき、ＣＰＵ１０の制御により実行される。
【実施例１】
【００４１】
図３を用いて、優先制御プログラム１０１に基づく複合機１００の動作手順を説明する。
優先制御プログラム１０１は、カラースキャナ１０３を備える通信端末装置において、スキャン動作とファクシミリ受信とが競合する場合に、スキャン動作が優先されるように、ＣＰＵ１０を制御するプログラムである。
以下、詳しく説明する。
【００４２】
ステップＳ１１は、優先制御プログラム１０１に基づく制御下で、カラースキャンの一連処理が開始されたことを意味する。
ここで、カラースキャンの一連処理とは、面順次方式の両面カラースキャナであれば各色スキャンの処理のすべてを意味し、両面スキャナであれば、表面と裏面のスキャンの双方の処理、を意味する。複合機１００に備える線順次方式のカラースキャナであれば、光学系装置（キャリッジ）の一度の移動で読み取りが終了するが、説明の便宜上、この一度の読み取り処理も「カラースキャンの一連処理」とする。
【００４３】
カラースキャンの一連処理が開始されると、ＣＰＵ１０は、ＮＣＵ１８を、複合機１００と仮想の発呼元との回線接続状態に移行させる（ステップＳ１２）。
ここで、仮想の発呼元との回線接続状態への移行とは、仮想的にＮＣＵ１８が回線接続状態にあるように移行させることを意味する。
つまり、複合機１００のＮＣＵ１８が回線接続状態にあれば、複合機１００に発呼を行う他の通信端末装置側では、複合機１００がビジー状態（回線接続状態）として検出される。これを利用して、ＮＣＵ１８を仮想の発呼元との回線接続状態に移行させることで、実際には、他の通信端末装置と複合機１００とが回線接続されてなくても、発呼する側の通信端末装置からデータ送信させないようにして、スキャナ動作と、ファクシミリ受信との競合を防止するものである。
【００４４】
そして、ステップＳ１３にてカラースキャンの一連処理が終了したか否かの判断を行い、終了したと判断された場合には、ＮＣＵ１８の回線接続状態を解除して、ファクシミリ受信を行える状態に制御される（ステップＳ１４）。
【００４５】
ステップＳ１４で、ＮＣＵ１８の回線接続状態を解除された後に、複合機１００に向けて発呼が行われると、その呼出信号を着呼したＮＣＵ１８は、その発呼元の通信端末装置と複合機１００との回線接続を行う。つまり、図２に示される通常の手順に基づいて、ファクシミリ受信が行われる。
【００４６】
以上で説明したように、複合機１００には、優先制御プログラム１０１に従って、カラースキャンに関わる一連の動作実行中は、ＮＣＵ１８（回線接続制御部）を、仮想の通信端末装置との回線接続状態にするＣＰＵ１０（制御手段）が備えられている。
【００４７】
このため、カラースキャン中は、他の通信端末装置からの発呼があっても、ＮＣＵ１８
でその着呼が検出されることがないため、カラースキャナ動作と、ファクシミリ受信とが競合することがない。しかも、カラースキャナ動作とファクシミリ受信とが択一的に選択されて、複合機１００で処理が実行されるため、複合機１００の構成が複雑化されることもない。
【００４８】
なお、優先制御プログラム１０１に基づく制御は、第一の実施の形態とした線順次方式のカラースキャナ１０３を備える複合機１００への適用に限定されるものではない。
優先制御プログラム１０１に基づく制御は、面順次方式のカラースキャナを備える複合機１００にも適用可能である。
【００４９】
次に、図４を用いて、第二の実施の形態である複合機２００について説明する。
複合機２００には、面順次方式のカラースキャナ２０３が備えられている。他の構成は、第一の実施の形態である複合機１００と同様であり、両複合機１００・２００で、スキャナの構成のみが異なるものとなっている。以下、両複合機１００・２００で同一の部分に関しては、同じ符号を用いると共に、その部分に関する説明を省略する。
【００５０】
また、複合機２００には、優先制御プログラム２０１・３０１の二つが、備えられている。
ここで、ＣＰＵ１０は、優先制御プログラム２０１・３０１のいずれか一つのプログラムに基づいて、複合機２００を制御する。そして、どの優先制御プログラムに基づいて、ＣＰＵ１０の制御動作を行わせるかは、操作部２におけるユーザの入力操作で可能となっている。
以下、優先制御プログラム２０１・３０１のそれぞれが切換えられた場合のＣＰＵ１０の制御動作について、二つの実施例で説明する。
【実施例２】
【００５１】
図５を用いて、優先制御プログラム２０１に基づく複合機２００の動作手順を説明する。
優先制御プログラム２０１は、面順次方式のカラースキャナ２０３を備える通信端末装置において、各色のスキャンと、ファクシミリ受信とが競合する場合に、色スキャン動作が優先するようにＣＰＵ１０を制御するプログラムである。
以下、詳しく説明する。
【００５２】
ステップＳ２１は、優先制御プログラム１０１に基づく制御下で、ＲＧＢ三色のスキャンのうち、第一色のカラースキャンが開始されたことを意味する。
ここで、面順次方式のカラースキャナ２０３のスキャン方式は、光源をＲＧＢ各色ラインランプにより構成し、原稿に対するラインセンサの読取りラインを、ＲＧＢそれぞれについて個別に相対移動させ、各移動毎に反射光に異なる色フィルタを介して撮像素子へ入射させて三度の読取りを行う面順次方式の色フィルタ切換方式としている。
このため、各色の読取り毎に、キャリッジ（光学系装置）が読取り開始位置に復帰する
までの間は、スキャニングの休止時間となる。
【００５３】
第一色のカラースキャンが開始されると、ＣＰＵ１０は、ＮＣＵ１８を、複合機２００と仮想の発呼元との回線接続状態に移行させる（ステップＳ２２）。
【００５４】
そして、ステップＳ２３にて第一色のカラースキャンが終了したか否かの判断を行い、終了したと判断された場合には、ＮＣＵ１８の回線接続状態を解除して、着呼可能な状態に制御される（ステップＳ２４）。
【００５５】
ＮＣＵ１８の回線接続状態が解除されると、ＮＣＵ１８において、他の通信端末装置からの着呼があったか否かが、判定される（ステップＳ２５）。
着呼があった場合は、ファクシミリ受信が開始され（ステップＳ２６）、ファクシミリ受信の終了が確認（ステップＳ２７）されると、第一色のカラースキャンに伴って行われる優先制御プログラム２０１の処理が終了する。
また、着呼がなかった場合は、所定の待ち時間（例えば１０から３０秒程度）が経過したか否かの判定が行われる（ステップＳ２８）。この判定は、ステップＳ２３の第一色のカラースキャンが終了した時点より、経過時間をカウントするタイマーからの出力信号に基づいて、行われる。前記所定の待ち時間が経過するまで、ステップＳ２５の判定が繰り返し行われ、所定の待ち時間が経過しても着呼がない場合は、第一色のカラースキャンに伴って行われる優先制御プログラム２０１の処理が終了する。
【００５６】
図５には、第一色のカラースキャンに伴って行われる優先制御プログラム２０１の処理のみを図示している。
優先制御プログラム２０１の処理は、第一色だけでなく、第二色、第三色のカラースキャンに関しても行われるものであるが、他の色のスキャン時も、図５に示される第一色のカラースキャンの場合と同様にして行われる。
つまり、優先制御プログラム２０１の処理は、図５に示される一連処理が、ＲＧＢの三色のスキャンに渡って行われるものである。図５で、第一色のカラースキャンに伴って行われる処理が終了すると、次には、第二色のカラースキャンに伴って行われる処理が開始され、第二色のカラースキャンに伴って行われる処理が終了すると、第三色のカラースキャンに伴って行われる処理が開始される。これらの三色のカラースキャンに伴って行われる処理が終了すると（図５の処理が色を代えて三回ループすると）、優先制御プログラム２０１の処理が終了する。
【００５７】
以上で説明したように、複合機２００には、優先制御プログラム２０１に従って、各色のカラースキャン中はＮＣＵ１８（回線接続制御部）を、仮想の通信端末装置との回線接続状態にすると共に、各色の非スキャン時はＮＣＵ１８を回線未接続状態にする、ＣＰＵ１０（制御手段）が備えられている。
【００５８】
このため、ファクシミリ受信の待ち時間を少なくしつつ、カラースキャン処理を効率よく行うことが可能となる。
【００５９】
なお、優先制御プログラム２０１においては、各色のスキャンの間に、所定の待ち時間（ステップＳ２８）を設けて、この待ち時間の間を、カラースキャンの一連処理中でのファクシミリ受信の待機時間としている。
面順次方式のカラースキャナにおいては、キャリッジ（光学系装置）が次の色の読み取りのために、読取り開始位置に復帰する間は、カラースキャンが休止した状態にあるので、このキャリッジの復帰時間を、前記所定の待ち時間としてもよい。つまり、キャリッジが復帰するまでの間に、ＮＣＵ１８に着呼があった場合には、カラースキャンの一連処理が中断されて、ファクシミリ受信が優先して行われるのである。
【実施例３】
【００６０】
図６及び図７を用いて、優先制御プログラム３０１に基づく複合機２００の動作手順を説明する。
優先制御プログラム３０１も前記優先制御プログラム２０１と同様に、面順次方式のカラースキャナ２０３を備える通信端末装置において、各色のスキャンと、ファクシミリ受信とが競合する場合に、色スキャン動作が優先するようにＣＰＵ１０を制御するプログラムである。
以下、詳しく説明する。
【００６１】
ステップＳ３１は、優先制御プログラム３０１に基づく制御下で、ＲＧＢ三色のスキャンのうち、第一色のカラースキャンが開始されたことを意味する。
第一色のカラースキャンが開始されると、ＣＰＵ１０は、ＮＣＵ１８を、複合機２００と仮想の発呼元との回線接続状態に移行させる（ステップＳ３２）。
【００６２】
次いで、ステップＳ３３において、第一色のカラースキャンの実行時間が、所定のスキャン時間に達したか否か、が判定される。
ここで、所定のスキャン時間は、第一色のカラースキャンの終了時点に応じて設定される時間である。この所定のスキャン時間への到達の有無判定により、第一色カラースキャンの終了時点に先立つ例えば１５秒前となる時点を、特定するものである。この判定により、詳しくは後述するが、第一色カラースキャンの終了時点に先立って、ＮＣＵ１８を回線未接続状態に移行させて、ＮＣＵ１８を着呼待ち状態にさせ、第一色のカラースキャンの終了と同時に、ファクシミリ受信を可能とするものである。
ここで、第一色のカラースキャンに要する時間は、原稿の副走査方向の長さによって変化するものである。したがって、縦置き横置きも含めた用紙サイズ毎に、所定のスキャン時間が設定されており、このスキャン時間の経過時点は、例えば、第一色カラースキャンの終了時点に先立つ１５秒前となる。また、この１５秒という時間を設定する基準については、後述する。
【００６３】
ステップＳ３３で所定のスキャン時間が経過すると、ＮＣＵ１８の回線接続状態を解除して、着呼可能な状態に制御される（ステップＳ３４）。
加えて、モデム１７が送受信の休止状態に制御される（ステップＳ３５）。モデム１７を休止状態とするのは、回線未接続状態のＮＣＵ１８が着呼を検出して、それに応じて回線接続状態となった他の通信端末装置より、データがバス１１内に流入するのを防止するためである。第一色のカラースキャンが終了する前に、バス１１内にデータが流入すると、スキャン動作とファクシミリ受信との競合が発生するが、これを防止するためである。
【００６４】
ステップＳ３５の次に、第一色のカラースキャンが終了したか否かの判定が行われる（ステップＳ３６）。この判定は、第一色のカラースキャンの終了が確認されるまで繰り返し行われる。
そして、第一色のカラースキャンの終了が確認されると、モデム１７が送受信の待機状態に制御される（ステップＳ３７）。
【００６５】
次いで、ステップＳ３８において、ステップ３４の終了時点から、つまりＮＣＵ１８が回線未接続状態に復帰した時点から、ステップＳ３８の判定時点までのモデム休止時間中に、ＮＣＵ１８に着呼があったか否かが、判定される。
着呼があった場合には、直ちにモデム１７により、ファクシミリ受信が行われる（ステップＳ３９）。そして、ファクシミリ受信の終了が確認（ステップＳ４０）されると、第一色のカラースキャンに伴って行われる優先制御プログラム３０１の処理が終了する。
ここで、前記スキャン時間の設定を、例えば、第一色カラースキャンの終了時点に先立つ１５秒前としていた理由は、この１５秒という時間が、回線接続を求める発呼側の通信端末装置が、回線接続状態のままデータ送信不能な最大放置時間を意味するためである。つまり、１５秒以上、データ送信不能な状態が継続すると、発呼側の通信端末装置の方で自動切断が行われて、回線接続状態を保ってファクシミリ受信を待機する効果が失われてしまう。言い換えると、自動切断されると、事前の着呼に応じて、モデム１７の待機状態への移行と同時にファクシミリ受信が開始されることがなくなってしまう。
【００６６】
また、前記モデム休止時間中に、着呼がなかった場合は、第一色のカラースキャンに伴って行われる優先制御プログラム３０１の処理が終了する。
なお、ステップＳ３７以前に着呼があった場合は、ステップＳ３８でモデム１７が送受信の待機状態に復帰した時点で、直ちにファクシミリ受信が行われる。つまり、ステップＳ３８の処理は、説明の便宜上、図６及び図７に追加しているものである。
【００６７】
図６及び図７にも、第一色のカラースキャンに伴って行われる優先制御プログラム３０１の処理のみを図示している。
優先制御プログラム３０１の処理は、第一色だけでなく、第二色、第三色のカラースキャンに関しても行われるものであるが、他の色のスキャン時も、図６及び図７に示される第一色のカラースキャンの場合と同様にして行われる。これらの三色のカラースキャンに伴って行われる処理が終了すると（図６及び図７の処理が色を代えて三回ループすると）、優先制御プログラム３０１の処理が終了する。
【００６８】
以上で説明したように、複合機２００には、優先制御プログラム３０１に従って、カラースキャンの途中時点で、ＮＣＵ１８（回線接続制御部）を前記回線未接続状態に移行させると共に、モデム１７（送受信手段）を休止状態に移行させ、カラースキャンの終了時点で、モデム１７を送受信の待機状態に移行させるＣＰＵ１０（制御手段）が備えられている。
【００６９】
このため、カラースキャン時には、スキャン動作とファクシミリ動作との競合を防止しながら、カラースキャン時にもＮＣＵ１８（回線接続制御部）で着呼させて、カラースキャン終了と同時に、直ちにファクシミリ受信を行わせることができる。
したがって、ファクシミリ受信の待ち時間を少なくしつつ、カラースキャン処理を効率よく行うことが可能となる。
【００７０】
次に、図８を用いて、第三の実施の形態である複合機３００について説明する。
複合機３００には、スイッチバック方式の両面モノクロスキャナ３０３が備えられている。他の構成は、第一の実施の形態である複合機１００と同様であり、両複合機１００・３００で、スキャナの構成のみが異なるものとなっている。以下、両複合機１００・３００で同一の部分に関しては、同じ符号を用いると共に、その部分に関する説明を省略する。
【００７１】
また、複合機３００には、優先制御プログラム４０１・５０１・６０１の三つが、備えられている。
ここで、ＣＰＵ１０は、優先制御プログラム４０１・５０１・６０１のいずれか一つのプログラムに基づいて、複合機３００を制御する。そして、どの優先制御プログラムに基づいて、ＣＰＵ１０の制御動作を行わせるかは、操作部２におけるユーザの入力操作で可能となっている。
以下、優先制御プログラム４０１・５０１・６０１のそれぞれが切換えられた場合のＣＰＵ１０の制御動作について、三つの実施例で説明する。
【実施例４】
【００７２】
図９を用いて、優先制御プログラム４０１に基づく複合機３００の動作手順を説明する。
優先制御プログラム４０１は、スイッチバック方式の両面モノクロスキャナ３０３を備える通信端末装置において、スキャン動作とファクシミリ受信とが競合する場合に、スキャン動作が優先されるように、ＣＰＵ１０を制御するプログラムである。
以下、詳しく説明する。
【００７３】
ステップＳ４１は、優先制御プログラム４０１に基づく制御下で、スイッチバック方式の両面スキャンの一連処理が開始されたことを意味する。
ここで、スイッチバック方式の両面スキャンでは、原稿は、自動原稿搬送装置により搬送されながら、まず一方の面が読取られ、その後排紙トレイ側に一旦搬送された後スイッチバックして、他方の面が読取られて、排紙トレイへと搬送される。つまり、スイッチバック方式の両面スキャンの一連処理には、第一面のスキャンと第二面のスキャンに加えて、原稿の搬送処理も含まれている。
【００７４】
スイッチバック方式の両面スキャンの一連処理が開始されると、ＣＰＵ１０は、ＮＣＵ１８を、複合機３００と仮想の発呼元との回線接続状態に移行させる（ステップＳ４２）。
【００７５】
そして、ステップＳ４３にて両面スキャンの一連処理が終了したか否かの判断を行い、終了したと判断された場合には、ＮＣＵ１８の回線接続状態を解除して、ファクシミリ受信を行える状態に制御される（ステップＳ４４）。
【００７６】
ステップＳ４４で、ＮＣＵ１８の回線接続状態を解除された後に、複合機３００に向けて発呼が行われると、その呼出信号を着呼したＮＣＵ１８は、その発呼元の通信端末装置と複合機３００との回線接続を行う。つまり、図２に示される通常の手順に基づいて、ファクシミリ受信が行われる。
【００７７】
以上で説明したように、複合機３００には、優先制御プログラム４０１に従って、両面読取りに関わる一連の動作実行中は、ＮＣＵ１８（回線接続制御部）を、仮想の通信端末装置との回線接続状態にするＣＰＵ１０（制御手段）が備えられている。
【００７８】
このため、両面読取りに関わる一連の動作実行中は、他の通信端末装置からの発呼があっても、ＮＣＵ１８でその着呼が検出されることがないため、両面スキャン動作と、ファクシミリ受信とが競合することがない。しかも、両面スキャン動作とファクシミリ受信とが択一的に選択されて、通信端末装置で処理が実行されるため、通信端末装置の構成が複雑化されることもない。
【００７９】
なお、第三の実施の形態である複合機３００には、スイッチバック方式の両面スキャナとして、モノクロスキャナとしているが、この構成に限定されるものではない。スイッチバック方式の両面スキャナであれば、カラースキャナであってもよい。
【実施例５】
【００８０】
図１０を用いて、優先制御プログラム５０１に基づく複合機３００の動作手順を説明する。
優先制御プログラム５０１は、スイッチバック方式の両面モノクロスキャナ３０３を備える通信端末装置において、各面のスキャンと、ファクシミリ受信とが競合する場合に、面スキャン動作が優先するようにＣＰＵ１０を制御するプログラムである。
以下、詳しく説明する。
【００８１】
ステップＳ５１は、優先制御プログラム５０１に基づく制御下で、両面のスキャンのうち、第一面のスキャンが開始されたことを意味する。
【００８２】
第一面のスキャンが開始されると、ＣＰＵ１０は、ＮＣＵ１８を、複合機３００と仮想の発呼元との回線接続状態に移行させる（ステップＳ５２）。
【００８３】
そして、ステップＳ５３にて第一面のスキャンが終了したか否かの判断を行い、終了したと判断された場合には、ＮＣＵ１８の回線接続状態を解除して、着呼可能な状態に制御される（ステップＳ５４）。
【００８４】
ＮＣＵ１８の回線接続状態が解除されると、ＮＣＵ１８において、他の通信端末装置からの着呼があったか否かが、判定される（ステップＳ５５）。
着呼があった場合は、ファクシミリ受信が開始され（ステップＳ５６）、ファクシミリ受信の終了が確認（ステップＳ５７）されると、第一面のスキャンに伴って行われる優先制御プログラム５０１の処理が終了する。
また、着呼がなかった場合は、所定の待ち時間（例えば１０から３０秒程度）が経過したか否かの判定が行われる（ステップＳ５８）。この判定は、ステップＳ５３での第一面のスキャンが終了した時点より、経過時間をカウントするタイマーからの出力信号に基づいて、行われる。前記所定の待ち時間が経過するまで、ステップＳ５５の判定が繰り返し行われ、所定の待ち時間が経過しても着呼がない場合は、第一面のスキャンに伴って行われる優先制御プログラム５０１の処理が終了する。
【００８５】
図５には、第一面のスキャンに伴って行われる優先制御プログラム５０１の処理のみを図示している。
優先制御プログラム５０１の処理は、第一面（表面）だけでなく、第二面（裏面）に関しても行われるものであるが、他の面のスキャン時も、図１０に示される第一面のスキャンの場合と同様にして行われる。
これらの両面のスキャンに伴って行われる処理が終了すると（図１０の処理が面を代えて二回ループすると）、優先制御プログラム５０１の処理が終了する。
【００８６】
以上で説明したように、複合機３００には、優先制御プログラム５０１に従って、各面の読取り中は、ＮＣＵ１８（回線接続制御部）を、仮想の通信端末装置との回線接続状態にすると共に、各面の非読取り時は回線接続制御部を回線未接続状態にする、ＣＰＵ１０（制御手段）が備えられている。
【００８７】
このため、ファクシミリ受信の待ち時間を少なくしつつ、両面スキャン処理を効率よく行うことが可能となる。
【実施例６】
【００８８】
図１１及び図１２を用いて、優先制御プログラム６０１に基づく複合機３００の動作手順を説明する。
優先制御プログラム６０１も前記優先制御プログラム５０１と同様に、スイッチバック方式の両面モノクロスキャナ３０３を備える通信端末装置において、各面のスキャンと、ファクシミリ受信とが競合する場合に、面スキャン動作が優先するようにＣＰＵ１０を制御するプログラムである。
以下、詳しく説明する。
【００８９】
ステップＳ６１は、優先制御プログラム６０１に基づく制御下で、裏表両面のスキャンのスキャンのうち、第一面（例えば表面）のスキャンが開始されたことを意味する。
第一面のスキャンが開始されると、ＣＰＵ１０は、ＮＣＵ１８を、複合機３００と仮想の発呼元との回線接続状態に移行させる（ステップＳ６２）。
【００９０】
次いで、ステップＳ６３において、第一面のスキャンの実行時間が、所定のスキャン時間に達したか否か、が判定される。
ここで、所定のスキャン時間は、第一面のスキャンの終了時点に応じて設定される時間である。この所定のスキャン時間への到達の有無判定により、第一面スキャンの終了時点に先立つ例えば１５秒前となる時点を、特定するものである。この所定のスキャン時間は、前述した優先制御プログラム３０１における所定のスキャン時間と、同様の役割を持つ時間である。
なお、一般的に、モノクロスキャンは、カラースキャンに比して、読取るべきデータ量が少ないため、短時間でスキャンが完了する。したがって、１５秒以内にモノクロスキャンが終了してしまうこともある。ここでは、高解像度でのモノクロスキャンを行う場合を、特に考慮するものとする。また、１５秒以内にモノクロスキャンが終了する場合は、ステップＳ６３の判定で直ちにステップＳ６４に進むものとする。つまり、事実上、ＮＣＵ１８が回線接続状態に制御されることはなく、回線未接続状態に保たれる、ことを意味する。
【００９１】
ステップＳ６３で所定のスキャン時間が経過すると、ＮＣＵ１８の回線接続状態を解除して、着呼可能な状態に制御される（ステップＳ６４）。
加えて、モデム１７が送受信の休止状態に制御される（ステップＳ６５）。ここでモデム１７を休止状態とするのは、前述したように、スキャン動作とファクシミリ受信との競合を防止するためである。
【００９２】
ステップＳ６５の次に、第一面のスキャンが終了したか否かの判定が行われる（ステップＳ６６）。この判定は、第一面のスキャンの終了が確認されるまで繰り返し行われる。
そして、第一面のスキャンの終了が確認されると、モデム１７が送受信の待機状態に制御される（ステップＳ６７）。
【００９３】
次いで、ステップＳ６８において、ステップ６４の終了時点から、つまりＮＣＵ１８が回線未接続状態に復帰した時点から、ステップＳ６８の判定時点までのモデム休止時間中に、ＮＣＵ１８に着呼があったか否かが、判定される。
着呼があった場合には、直ちにモデム１７により、ファクシミリ受信が行われる（ステップＳ６９）。そして、ファクシミリ受信の終了が確認（ステップＳ７０）されると、第一面のスキャンに伴って行われる優先制御プログラム６０１の処理が終了する。
ここで、前記スキャン時間の設定を、例えば、第一面のスキャンの終了時点に先立つ１５秒前としていた理由も、優先制御プログラム３０１の場合と同様である。１５秒以下に設定することで、発呼側の通信端末装置の方で自動切断が行われて、回線接続状態を保ってファクシミリ受信を待機する効果が失われてしまうのを、防止するためである。
【００９４】
また、前記モデム休止時間中に、着呼がなかった場合は、第一面のスキャンに伴って行われる優先制御プログラム６０１の処理が終了する。
なお、ステップＳ６７以前に着呼があった場合は、ステップＳ６８でモデム１７が送受信の待機状態に復帰した時点で、直ちにファクシミリ受信が行われる。つまり、ステップＳ６８の処理は、説明の便宜上、図１１及び図１２に追加しているものである。
【００９５】
図１１及び図１２にも、第一面のスキャンに伴って行われる優先制御プログラム６０１の処理のみを図示している。
優先制御プログラム６０１の処理は、第一面（表面）だけでなく、第二面（裏面）のスキャンに関しても行われるものであるが、他の面のスキャン時も、図１１及び図１２に示される第一面のスキャンの場合と同様にして行われる。これらの二面のスキャンに伴って行われる処理が終了すると（図１１及び図１２の処理が面を代えて二回ループすると）、優先制御プログラム６０１の処理が終了する。
【００９６】
以上で説明したように、複合機３００には、優先制御プログラム６０１に従って、前記各面の読取りの途中時点で、ＮＣＵ１８（回線接続制御部）を前記回線未接続状態に移行させると共に、モデム１７（送受信手段）を休止状態に移行させ、各面の読取りの終了時点で、モデム１７を送受信の待機状態に移行させるＣＰＵ１０（制御手段）が備えられている。
【００９７】
このため、両面スキャン時には、スキャン動作とファクシミリ動作との競合を防止しながら、面スキャン時にもＮＣＵ１８（回線接続制御部）で着呼させて、面スキャン終了と同時に、直ちにファクシミリ受信を行わせることができる。
したがって、ファクシミリ受信の待ち時間を少なくしつつ、両面スキャン処理を効率よく行うことが可能となる。
【００９８】
以上において、スイッチバック方式での両面スキャンに関する優先制御プログラム４０１・５０１・６０１は、両面モノクロスキャナ３００を備える複合機３００に適用されるものとしている。
優先制御プログラム４０１・５０１・６０１の適用対象は、モノクロスキャナを備える通信端末装置に限定されるものではなく、カラースキャナであってもよい。特に、カラースキャナを備える通信端末装置の場合には、優先制御プログラム４０１・５０１・６０１のいずれかに加えて、前記優先制御プログラム１０１をも同時に適用してもよい。さらに、面順次方式のカラースキャナを備える通信端末装置の場合には、優先制御プログラム４０１・５０１・６０１のいずれかに加えて、前記優先制御プログラム２０１・３０１のいずれかをも、同時に適用しても良い。
【図面の簡単な説明】
【００９９】
【図１】第一の実施の形態である複合機１００の制御構成を示すブロック図。
【図２】ファクシミリ受信処理を説明するフローチャート。
【図３】優先制御プログラム１０１に基づく複合機１００の動作手順を示すフローチャート。
【図４】第二の実施の形態である複合機２００の制御構成を示すブロック図。
【図５】優先制御プログラム２０１に基づく複合機２００の動作手順の一部を示すフローチャート。
【図６】優先制御プログラム３０１に基づく複合機２００の動作手順の一部を示すフローチャート。
【図７】優先制御プログラム３０１に基づく複合機２００の動作手順の一部を示すフローチャート。
【図８】第二の実施の形態である複合機３００の制御構成を示すブロック図。
【図９】優先制御プログラム４０１に基づく複合機３００の動作手順の一部を示すフローチャート。
【図１０】優先制御プログラム５０１に基づく複合機３００の動作手順の一部を示すフローチャート。
【図１１】優先制御プログラム６０１に基づく複合機３００の動作手順の一部を示すフローチャート。
【図１２】優先制御プログラム６０１に基づく複合機３００の動作手順の一部を示すフローチャート。
【符号の説明】
【０１００】
１  複合機
２  操作部
４  画像記録部
１０  ＣＰＵ
１２  ＲＯＭ
１３  ＲＡＭ
１４  画像メモリ
１５  コーデック
１７  モデム
１８  ＮＣＵ
２０  表示部
１０３  線順次方式のカラースキャナ
２０３  面順次方式のカラースキャナ
３０３  スイッチバック方式の両面モノクロスキャナ
【図１】
2005123886.tif 000003
【図２】
2005123886.tif 000004
【図３】
2005123886.tif 000005
【図４】
2005123886.tif 000006
【図５】
2005123886.tif 000007
【図６】
2005123886.tif 000008
【図７】
2005123886.tif 000009
【図８】
2005123886.tif 000010
【図９】
2005123886.tif 000011
【図１０】
2005123886.tif 000012
【図１１】
2005123886.tif 000013
【図１２】
2005123886.tif 000014